(57)【要約】屋根上部に空調機器(5)を設置可能な鉄道車両は、開口部(10)を有する屋根構体(1)と、開口部(10)に設けられ断面視で凹んだ凹部(3)を有し、凹部(3)に空調機器(5)を載置可能な低屋根本体(20)と、低屋根本体(20)から連続して形成されるとともに屋根構体(1)に接合される低屋根本体周縁部(22)とを備え、低屋根本体(20)及び低屋根本体周縁部(22)がプラスチック製である。
2013125250.tif 000002
【特許請求の範囲】
【請求項１】
屋根上部に空調機器を設置可能な鉄道車両であって、
開口部を有する屋根構体と、
前記開口部に設けられ、断面視で凹んだ凹部或いは平面視で通過孔を開設した載置部を有し、前記凹部或いは前記載置部上の前記通過孔の周縁部に前記空調機器を載置可能な低屋根本体と、
前記低屋根本体から連続して形成されるとともに、前記屋根構体に接合される低屋根本体周縁部とを備え、
前記低屋根本体及び前記低屋根本体周縁部がプラスチック製である、鉄道車両。
【請求項２】
前記屋根構体は、前記開口部に向かって延びる金属製のフレームを有し、
前記フレームと前記屋根構体及び低屋根本体周縁部とが接合される、請求項１に記載の鉄道車両。
【請求項３】
前記屋根構体は、前記開口部に向かって延びる金属製のフレームを有し、
前記フレームと前記低屋根本体周縁部とは、リベットまたは接着剤により接合される、請求項１または２に記載の鉄道車両。
【請求項４】
前記屋根構体は、前記開口部に向かって延びる金属製のフレームを有し、
前記低屋根本体の周縁部の下面と前記フレームの一端の上面とが接合され、
前記屋根構体の上面と前記フレームの他端の下面とが接合される、請求項１乃至３の何れかに記載の鉄道車両。
【請求項５】
前記屋根構体は、前記開口部に向かって延びる金属製のフレームを有し、
前記フレームの一端が、前記低屋根本体周縁部と接合され、
前記フレームの他端が、低入熱溶接により前記屋根構体に接合される、請求項１乃至４の何れかに記載の鉄道車両。
【請求項６】
前記低屋根本体は、前記低屋根本体周縁部の内側に、前記載置部を含む段差部を更に有し、
前記段差部の前記載置部は、鉛直方向上向きに延びる突部を含み、前記突部と前記低屋根本体周縁部との間にはドレン孔が更に設けられた、請求項１乃至５の何れかに記載の鉄道車両。
【請求項７】
前記突部が、前記空調機器の取付座である、請求項６に記載の鉄道車両。
【請求項８】
前記凹部の底部は、強化プラスチック製の２つの面板と、各前記面板間に設けられたコア材とを有するサンドイッチ構造である、請求項１乃至７の何れかに記載の鉄道車両。
【請求項９】
前記コア材は、ハニカム構造または発泡樹脂製である、請求項８に記載の鉄道車両。
【請求項１０】
前記凹部の底部は、山部と谷部とが車両幅方向に沿って連続して設けられた強化プラスチック製の波板構造である、請求項１乃至７の何れかに記載の鉄道車両。
【請求項１１】
前記低屋根本体の上部を覆うカバー部材をさらに備え、
前記カバー部材の端部下面は、前記低屋根本体周縁部の前記凹部側端部の上面に対してシール部材を介して載置される、請求項１乃至１０の何れかに記載の鉄道車両。
【請求項１２】
少なくとも前記低屋根本体及び前記低屋根周縁部は、一体成形により構成される、請求項１乃至１０の何れかに記載の鉄道車両。
【発明の詳細な説明】
【技術分野】
【０００１】
本発明は、低屋根構体を備えた鉄道車両に関する。
【背景技術】
【０００２】
鉄道車両は、一般に車体の上面を構成する屋根構体を備えている。ここで建築限界による制約、エクステリアデザイン上の理由から、屋根構体の外面よりも車内側に入り込んで低くして、空調機器等を搭載可能な構造が知られている(特許文献１参照)。以下、屋根構体の他の部位よりも低くした構造部分を低屋根構体という。特許文献１に記載された低屋根構体は、空調機器が載置される平坦部と、その幅方向両側で側構体に接合するために立ち上がった立ち上がり部とを夫々アルミ合金製の押出部材により形成され、夫々を溶接または摩擦攪拌接合により接合して構成される。これにより、特許文献１は結合部による強度低下や騒音発生を防止するとともに、取付作業を容易にできるとしている。
【先行技術文献】
【特許文献】
【０００３】
【特許文献１】日本国特許公開２００７―２６１３４５号公報
【発明の概要】
【発明が解決しようとする課題】
【０００４】
ところで、低屋根構体自体には大きな荷重等が加わることが少ないため、鉄道車両全体の軽量化を図る観点からも、低屋根構体を薄板構造とするのが理想的である。しかし、特許文献１の低屋根構体は、断面が一様の形材を用いており、全体の厚みが大きいため、軽量化の支障となるという問題がある。また、屋根構体は風雨に晒されるため、空調機器等が載置される低屋根構体を用いる場合には防水処理等を施す必要がある。しかしながら、特許文献１の低屋根構体は、防水処理について何ら提案されていない。そこで本発明の目的は、低屋根構体ひいては鉄道車両全体の軽量化を図り、また防水構造を有する低屋根構体を備えた鉄道車両を提供することにある。
【課題を解決するための手段】
【０００５】
屋根上部に空調機器を設置可能な本発明に係る鉄道車両は、開口部を有する屋根構体と、前記開口部に設けられ、断面視で凹んだ凹部或いは平面視で通過孔を開設した載置部を有し、前記凹部或いは前記載置部上の前記通過孔の周縁部に前記空調機器を載置可能な低屋根本体と、屋根の一部を構成し、前記低屋根本体から連続して形成されるとともに、前記屋根構体に接合される低屋根本体周縁部とを備え、前記低屋根本体及び前記低屋根本体周縁部がプラスチック製である。ここで、プラスチックとは、ＣＦＲＰやＧＦＲＰなどの繊維強化プラスチック、種々の複合材料が含まれる。前記構成によれば、低屋根本体及びその周縁部をプラスチックで構成することにより、低屋根構体ひいては鉄道車両全体の軽量化を図ることができる。また、前記低屋根本体及びその周縁部をプラスチックで形成しているから、該低屋根本体がたとえ複雑な３次元形状であっても、これに対応することが容易である。
【発明の効果】
【０００６】
本発明により、低屋根構体ひいては鉄道車両全体の軽量化を図り、また防水構造を有する低屋根構体を備えた鉄道車両を提供することができる。
【図面の簡単な説明】
【０００７】
【図１】実施形態の低屋根構体の斜視図である。
【図２】図１に示す低屋根構体をＡ方向から見た側面図である。
【図３】図１に示す低屋根構体をＢ−Ｂ線を含む面にて破断し矢視した断面図である。
【図４】図３のＣ部の拡大図である。
【図５】図４のＦ部の拡大図である。
【図６】(a)〜(c)は、図３のＤ部の拡大図である。
【図７】図３のＥ部の拡大図である。
【図８】低屋根本体の変形例を示す断面図である。
【図９】図７に示す低屋根構体の防水構造の変形例である。
【発明を実施するための形態】
【０００８】
１．実施の形態
１−１．全体構成の概要
１−２．低屋根本体の構成
１−３．低屋根本体と屋根構体との取付構造
１−４．低屋根構体の防水構造
１−５．低屋根本体の取り付け方法
２．低屋根本体の変形例
３．低屋根構体の防水構造の変形例
４．その他の変形例
５．各構成の効果
【０００９】
［１．実施の形態］
［１−１．全体構成の概要］
図１は、本実施の形態に係る低屋根構体２を備えた鉄道車両構体を示す図である。鉄道車両構体は、２つの側構体１００と、下面を構成する台枠（図示せず）と、車両長手方向端部に設けられる２つの妻構体２００と、上面を構成する低屋根構体２を含む屋根構体１とを備えて構成される。図１に示すように、鉄道車両の屋根構体１の上面は膨らみを上に向けた円弧状である。屋根構体１の車両幅方向の略中央部には、低屋根構体２の本体部分である低屋根本体２０を設置可能な矩形状の第１開口１０が形成されている。さらに、図３に示すように、低屋根本体２０の上部には脱着可能な円弧状のカバー２３が、ゴム製のシール部材２５を介して取り付けられ、屋根構体１の一部を構成している。
【００１０】
［１−２．低屋根本体の構成］
図１乃至図３に示すように、低屋根本体２０は平面視で矩形であり、上面に第２開口２１が形成されている。低屋根本体２０は、第２開口２１の周縁に設けられた周縁部２２と、周縁部２２の下方に設けられた凹部３と、周縁部２２と凹部３の上端とを接続する段差部４とを備えて構成される。周縁部２２は、ＣＦＲＰやＧＦＲＰ等の強化プラスチックから形成され、フレーム６を介して屋根構体１に取り付けられる。なお、周縁部２２・フレーム６・屋根構体１の取付構造については後述する。
【００１１】
段差部４は、図３及び図４に示すように、凹部３の上端から外方に延びる水平面４２を含む平坦部４０と、低屋根本体２０の上端から下向きに延びる側壁４１とを有し、低屋根本体２０の周面全周に亘って形成される。なお、側壁４１は図４において垂直壁としているが、これに限られず、傾斜していてもよい。凹部３は、周壁３０と底部３１とを有し、内部に空調機器５が設置される。該空調機器５は周縁部に脚部５１を有し、該脚部５１がパッキン５３を介して段差部４の平坦部４０に取り付けられる(図３参照)。即ち、平坦部４０は、空調機器５が載置される載置部４４を構成する。周壁３０には、図１及び図２に示すように、その長手方向の側面に形成され、車外との間で空気が出入りする第２透孔３５と、短手方向の側面にそれぞれ形成され、空調機器５からの調和空気を車内に送るための第３透孔３６、空調機器５の電線等が通る第４透孔３７とを含んでいる。なお、周壁３０は、周縁部２２と同様に強化プラスチックから形成される。
【００１２】
底部３１には、図１及び図３に示すように、車内からの空気を凹部３に取り入れて空調機器５に導くための第１透孔３４が形成されている。なお、図２に示すように、底部３１の車内側の下面には、天井内装板とともに車内ランプ５０や吊り手棒などが取り付けられる。底部３１は、図６(a)、(b)に示すように、強化プラスチックで形成された２枚の面板３３と、面板３３間に設けられた芯材３２とから構成されたサンドイッチ構造である。ここで、芯材３２は、図６(ａ)に示すようにハニカム構造であり、例えばアルミ合金またはステンレス等の金属、あるいはプラスチックや紙等から構成される。なお、図６(ｂ)に示すように、芯材３２には発泡樹脂を用いてもよい。このように、底部３１をサンドイッチ構造とすることにより、天井内装品を取り付けるための十分な強度を得ることができ、板と骨組みから構成された骨皮構造と比較して、軽量化を図ることができる。さらに、サンドイッチ構造とすることにより、底部３１の厚みを抑えることができるので、低屋根部における客室天井高さを確保し、低屋根構体を備えた鉄道車両であっても、十分な車内空間を得ることができる。
【００１３】
なお、底部３１は、図６(ｃ)に示すように、強化プラスチックからなる波板構造としてもよく、かかる構造により、軽量かつ厚みを抑えつつ、所望の剛性を確保することができる。この場合、底部３１は、山部３１ａと谷部３１ｂを交互に連続して設けた構造となる。また、低屋根本体２０は、周縁部２２と凹部３と段差部４とを備えるが、これらを一体成形してもよい。これにより、低屋根本体２０の水密性・剛性・組立性を向上させることができるとともに、製造コストを低減することができる。
【００１４】
［１−３．低屋根本体と屋根構体との取付構造］
次に、低屋根本体２０と屋根構体１との取付構造について説明する。図４に示すように、金属製のフレーム６は、その一端が屋根構体１の第１開口１０側の端部上面に溶接接合されている。一方、フレーム６の他端は、低屋根本体２０の周縁部２２の下面に配置され、例えばリベットにより締結される。フレーム６は、平面視で周縁部２２の下面全体に対向するように矩形に形成されている。図５は、図４のＦ部の拡大図である。低屋根本体２０の周縁部２２には、第１貫通孔２４が設けられ、フレーム６の他端には第１貫通孔２４に合わさる第２貫通孔６０が設けられている。第１貫通孔２４と第２貫通孔６０には、リベット８の軸体８０が、低屋根本体２０の周縁部２２の上側から挿入され、軸体８０の先端部を加締ることにより、フレーム６と低屋根本体２０とが締結される。ここで、リベット８の頭部８１の周面にはシール材を塗布して、雨水が両貫通孔２４、６０から浸入することを防止する。
【００１５】
以上のような構成により、強化プラスチック製である低屋根本体２０の周縁部２２が、溶接の熱によって損傷することがない。また、リベット８は、加締められた状態で軸体８０の周面が両貫通孔２４、６０の周面に密接するので、車両走行時において低屋根構体２にせん断荷重が加わった場合であっても、せん断荷重はリベット８の軸体８０の周面全体で受けられるので、フレーム６と低屋根本体２０のせん断荷重による接合強度を高めることができる。また、図４及び図５に示すように、低屋根本体２０の周縁部２２、フレーム６、屋根構体１は、外方に段状に下がるように配置され、車幅方向外方に向かって下向きに傾いている。従って、周縁部２２とフレーム６の取付箇所や、フレーム６と屋根構体１の取付箇所に雨水等が溜まることがない。また、万が一、フレーム６と周縁部２２との接合が外れた場合であっても、低屋根本体２０が落下することがない。
【００１６】
［１−４．低屋根構体の防水構造］
次に、低屋根構体の防水構造について説明する。図７に示すように、カバー２３は、第２開口２１を覆うとともに、周縁部２２の端部上面に載置される。上述のように、カバー２３は脱着を容易とするために、周縁部２２とカバー２３との間にはシール部材２５のような簡易的な防水処理を施している。そのため、洗車の場合や大量の雨水に晒される場合は、該水が低屋根本体２０内に侵入する場合がある。従って、本実施形態では、低屋根構体２０に防水構造を備えている。
【００１７】
すなわち、図７に示すように段差部４の平坦部４０には、上向きに突出し、低屋根本体２０の全周に亘って連続して形成された突部４５と、突部４５と側壁部４１との間にドレン孔４７とが設けられている。ここで、突部４５は空調機器５が載置される載置部４４を構成し、該突部４５を平坦部４０と一体成形してもよいし、別部材として設けてもよい。また、あるいは突部４５を図６(a)、(b)に示したようなサンドイッチ構造としてもよく、これにより十分な強度を確保することができる。なお、突部４５は、強化プラスチック製、金属製、ゴム製等の各種材料から形成されてもよい。このような構成により、雨水等が低屋根本体２０の水平面４２上に落下した場合であっても、突部４５により堰き止められるので、凹部３及び車内に侵入することがない。また、ドレン孔４７を設けているので、突部４５によって堰き止められた雨水は車外に排出される。
【００１８】
［１−５．低屋根本体の取り付け方法］
低屋根本体２０を屋根構体１に取り付ける際には、屋根構体１に予めフレーム６を溶接にて取り付ける。その後、第１開口１０の上側から低屋根本体２０を第１開口１０に挿入して、フレーム６と低屋根本体２０の周縁部２２をリベット８にて接合することも考えられる。しかし、実際はフレーム６と低屋根本体２０の周縁部２２を接合するのに用いるリベット８は全部で数百個にもなる。屋根構体１のフレーム６に低屋根本体２０の周縁部２２を乗せた状態にて、数百個ものリベット８を加締接合するのは取付け工数がかさみ、作業性が悪い。また、前記の如く、リベット８の頭部８１周面には、シール材を塗布するのであるが、屋根構体１の上から塗布しなければならなくなるので作業性が悪い。この作業性の悪さ故に、該シール材の塗布状態にバラつき等が発生し易くなり、該シール材の耐久性も問題となる虞がある。そこで、本実施形態では以下の手順で、低屋根本体２０を屋根構体１に取り付ける。
【００１９】
先ず、屋根構体１と低屋根本体２０を取り付ける工程とは別の工程(例えば、ＣＦＲＰ成形工程)にて、低屋根本体２０の周縁部２２下側に、フレーム６を配置する。第１貫通孔２４と第２貫通孔６０を合わせて、低屋根本体２０の周縁部２２の上側から、両貫通孔２４、６０にリベット８の軸体８０を通す。次に、リベット８の軸体８０の下端部を加締めて、低屋根本体２０の周縁部２２とフレーム６を接合する。そして、リベット８の頭部８１周面にシール材をコーティングする。このフレーム６を取り付けた低屋根本体２０を第１開口１０の上から、該第１開口１０に挿入する。これにより、フレーム６が屋根構体１の第１開口１０の周縁部２２上に接する。この後、フレーム６と屋根構体１とを溶接にて取り付ける。このようにすれば、フレーム６と低屋根本体２０の周縁部２２を専用工場で取り付けることができるので、人手によらず自動機にてリベット８を加締めることができる。故に作業性がよくなる。また、シール材塗布作業においても作業性がよいから、高精度な作業を行うことができる。
【００２０】
その後、凹部３の内側に空調機器５を収納し、突部４５の上面に空調機器５の脚部５１を乗せる。このとき、突部４５に位置決め突起４６を設け、脚部５１の下面に該位置決め突起４６に嵌まる嵌合穴５２を開設して、該嵌合穴５２に該位置決め突起４６を設けてもよい(図７参照)。空調機器５の取付部分である位置決め突起４６にパッキン５３等を巻きつけて用いることにより、雨水等が凹部３に侵入することを防止することができる。最後に、低屋根本体２０の第２開口２１にカバー２３を被せる。
【００２１】
［２．低屋根本体の変形例］
図８は、低屋根本体２０の変形例を示す断面図である。本変形例にあっては、低屋根本体２０は、周縁部２２と段差部４とを備えて構成され、凹部３は設けられていない。これは、屋根上にかかる荷重が大きくない場合や、例えば吊り手棒等の比較的大きな荷重がかかる内装部品が屋根構体１の底面に取り付けられない場合には、凹部３を省略することができるからである。段差部４は、前記の如く、水平面４２を含む平坦部４０と、低屋根本体２０の上端から下向きに延びて該平坦部４０に接続される側壁４１とを有して構成され、低屋根本体２０の周面全周に亘って形成される。平坦部４０の中央には、第２開口２１に連なる通過孔４３が開設され、平坦部４０上にて該通過孔４３の周縁部である水平面４２に空調機器５の脚部５１がパッキン５３を介して載置される。即ち、平坦部４０が空調機器５の載置部４４を形成する。空調機器５は、車内の空気を直接取り入れることができる。
【００２２】
本変形例にあっては、凹部３が設けられていないので、更に低屋根本体２０ひいては屋根構体１の全体を軽量化することができる。また、凹部３が設けられていないことにより、車両構体の低屋根部における客室天井高さを確保し、凹部３を設けた場合と比べて十分な車内空間を得ることがさらに容易となる。尚、図８には図示していないが、水平面４２に落下した雨水等が車内に侵入することを防ぐべく、上記実施形態にて説明したように、平坦部４０に突部４５とドレン孔４７(図７参照)を設けてもよい。この場合、突部４５が空調機器５の載置部４４となる。また、車内ランプ５０は、屋根構体１の内側にて空調機器５から外れた箇所、あるいは内装の天井パネル(図示せず)に直接取り付けられる。
【００２３】
［３．低屋根構体の防水構造の変形例］
次に、低屋根構体の防水構造と空調機器５の設置の変形例について説明する。他の構成については上記実施形態の構成と同様であるため、説明を省略する。図９は、低屋根本体２０の水平部４２の拡大図である。図９において、水平部４２の端部に上向きに突出した突部４５と、突部４５と段差部４との間に設けられたドレン孔４７を備える点で上記図７を用いて示した実施形態と共通するが、ドレン孔４７と突部４５との間に空調機器５の取付座５５を備える点で異なる。空調機器５の取付座５５には、空調機器５の脚部５１が載置され、該取付座５５が空調機器５の載置部４４を構成する。また、脚部５１と突部４５の間隙には、シールゴム５３が設けられる。これにより、上記実施形態と同様に、雨水が凹部３に侵入することがない。
【００２４】
［４．その他の変形例］
上記実施形態では、フレーム６と低屋根本体２０の周縁部２２とをリベット８で接合したが、接着剤で接合することもできる。また、低屋根本体２０をオートクレーブ成形やインフュージョン成形で形成する際に、フレーム６も一緒に張り合わせるコボンド法を用いることもできる。これらの場合は、リベット８を用いた場合に行っていたリベット８の頭部８１へのシール材塗布は不要である。しかし、前記の如く、フレーム６と屋根構体１は溶接にて接合されるので、該溶接熱が低屋根本体２０の周縁部２２に伝わって、接着剤や周縁部２２自体を損傷させる虞がある。特に、フレーム６と低屋根本体２０の周縁部２２との接触面積が大きいと、低屋根本体２０の周縁部２２に伝わる溶接熱の熱量が大きい。      
【００２５】
従って、そのような場合には、レーザ溶接、レーザアークハイブリッド溶接、ＣＭＴ(Cold Metal Transfer)のような低入熱溶接にて、フレーム６と屋根構体１とを溶接すればよい。これにより、溶接時に低屋根本体２０の周縁部２２に伝わる溶接熱の熱量が抑えられ、接着剤や周縁部２２自体の損傷を軽減することができる。勿論、フレーム６と低屋根本体２０の周縁部２２をリベット８にて接合する場合にも、フレーム６と屋根構体１との溶接に低入熱溶接を用いてもよい。
【００２６】
また、フレーム６と低屋根本体２０の周縁部２２との接合は、ボルトを用いてもよい。また、あるいは、リベットと接着剤の併用、ボルトと接着剤の併用による接合等、種々の組み合わせにより接合することも可能である。なお、上記実施形態に代えて、周壁３０を面板と芯材を用いたサンドイッチ構造としてもよい。また、上記実施形態では、一例としてＣＦＲＰやＧＦＲＰを用いたが、これに限られず、その他の強化プラスチックであってもよい。更に、上記実施形態では、平坦部４０に空調機器５の脚部５１が載置されている。しかし、該構成に代えて、凹部３の底部３１にスペーサ(図示せず)を設け、該スペーサ上に空調機器５の底面を載置してもよい。
【００２７】
［５．各構成の効果］
各実施形態において、屋根構体は、開口部に向かって延びる金属製のフレームを有し、フレームと屋根構体及び低屋根本体周縁部とが接合される。この構成により、屋根構体とフレームとは溶接により接合することができ、作業性がよい。各実施形態において、屋根構体は、開口部に向かって延びる金属製のフレームを有し、フレームと低屋根本体周縁部とは、リベットまたは接着剤により接合される。この構成により、強化プラスチックで形成された低屋根本体周縁部とフレームとをリベットまたは接着剤で予め接合できるので、両者の接合の作業性、品質及び強度を高めることができる。
【００２８】
各実施形態において、屋根構体は、開口部に向かって延びる金属製のフレームを有し、低屋根本体の周縁部の下面とフレームの一端の上面とが接合され、屋根構体の上面とフレームの他端の下面とが接合される。この構成により、低屋根本体の周縁部、フレーム、屋根構体は、外方に段状に下がるように配置され、車幅方向外方に向かって下向きに傾いているので、周縁部とフレームの取付箇所や、フレームと屋根構体の取付箇所に雨水等が溜まることがない。また、万が一、フレームと周縁部との接合が外れた場合であっても、低屋根本体が落下することがない。各実施形態において、屋根構体は、開口部に向かって延びる金属製のフレームを有し、フレームの一端が、低屋根本体周縁部と接合され、フレームの他端が、低入熱溶接により屋根構体に接合される。この構成により、フレームと屋根構体とを低入熱溶接にて接合するので、強化プラスチックで形成された低屋根本体周縁部が溶接の熱によって劣化することがない。
【００２９】
各実施形態において、低屋根本体は、低屋根本体周縁部の内側に、載置部を含む段差部を更に有し、該段差部の載置部は、鉛直方向上向きに延びる突部を含み、突部と低屋根本体周縁部との間にはドレン孔が更に設けられている。この構成により、低屋根本体周縁部から雨水が侵入しても、雨水は突部によって堰き止められ、凹部又は空調機器に侵入することが防止される。また雨水をドレン孔を介して屋根構体の外に排出することができる。突部は空調機器の取付座として使用できるが、防水の機能を果たす突部と空調機器の取付座とを分ければ、取付座の構成を簡易なものとすることができる。この構成により、段差部と突部とを一体成形することができる。また、突部をサンドイッチ構造とすることもできるので十分な強度を確保することができる。
【００３０】
各実施形態において、凹部の底部は、強化プラスチック製の２つの面板と、各面板間に設けられたコア材とを有するサンドイッチ構造である。また、コア材は、ハニカム構造または発泡樹脂としてもよい。この構成により、凹部の底面全体を金属で形成した場合と比べて軽量化を図るとともに、十分な強度を確保することができる。各実施形態において、凹部の底部は、山部と谷部とが車両幅方向に沿って連続して設けられた強化プラスチック製の波板構造である。この構成により、凹部の底面全体を金属で形成した場合と比べて軽量化を図るとともに、十分な強度を確保することができる。また、薄板構造とすることができるので、十分な客室の天井高さを得ることができる。
【００３１】
各実施形態において、低屋根本体の上部を覆うカバー部材をさらに備え、カバー部材の端部下面は、低屋根本体周縁部の凹部側端部の上面に対してシール部材を介して載置される。この構成により、防水性能を確保するとともに、カバー部材を低屋根本体から脱着容易とすることができる。上記説明から、当業者にとっては、本発明の多くの改良や他の実施形態が明らかである。従って、上記説明は、例示としてのみ解釈されるべきであり、本発明を実行する１つの態様を当業者に教示する目的で提供されたものである。本発明の精神を逸脱することなく、その構造及び/又は機能の詳細を実質的に変更できる。
【産業上の利用可能性】
【００３２】
本発明は、低屋根構体を備えた鉄道車両に適用すると有益である。
【符号の説明】
【００３３】
１    屋根構体
２    低屋根構体
３    凹部
４    段差部
５    空調機器
６    フレーム
８    リベット
１０  第１開口
２０  低屋根本体
２１  第２開口
２２  周縁部
２３  カバー
２４  第１貫通孔
３０  周壁
３１  底部
３４  第１透孔
３５  第２透孔
３６  第３透孔
３７  第４透孔
４０  平坦部
４１  側壁部
４２  水平面
４３  通過孔
４４  載置部
４５  突部
４７  ドレン孔
５０  内装板
６０  第２貫通孔
８０  軸体
８１  頭部
１００  側構体
２００  妻構体
【図１】
2013125250.tif 000003
【図２】
2013125250.tif 000004
【図３】
2013125250.tif 000005
【図４】
2013125250.tif 000006
【図５】
2013125250.tif 000007
【図６】
2013125250.tif 000008
【図７】
2013125250.tif 000009
【図８】
2013125250.tif 000010
【図９】
2013125250.tif 000011
【国際調査報告】
2013125250.tif 000012
2013125250.tif 000013
2013125250.tif 000014
2013125250.tif 000015
2013125250.tif 000016